(57)【要約】  【課題】筋肉内に刺激を与え、患部に注射技法を同時に用いて痛みを緩和できる、簡単な構造からなり経済的であり、痛み分野で通常の知識を有する者が簡単に用いることのできる痛み治療機構を提供する。  【解決手段】蝶の翼状の取っ手と；前記取っ手の他側に形成され、前記注射器挿入部と連通した小管状の翼状針と；前記翼状針内に挿入され、翼状針が患部に挿入されて、筋肉内に刺激を与える時に筋肉内に挿入されるよう、一端を一定の長さに折り曲げた糸状のマジックシルクと；から構成される。【選択図】図２
2008289843.tif 000002
【特許請求の範囲】
【請求項１】
蝶の翼状の取っ手と；
前記取っ手の一側に形成される小管状の翼状針と；
前記翼状針内に挿入され、翼状針が患部に挿入されて、筋肉内に刺激を与える時に筋肉内に挿入されるように、一端を一定の長さに折り曲げた糸状のマジックシルクと；から構成されることを特徴とする、痛み治療機構。
【請求項２】
前記取っ手の前記翼状針と対向する他側に円筒形で形成され、注射器を挿入できるように拡管型の注射器挿入部をさらに含むことを特徴とする、請求項１に記載の痛み治療機構。
【請求項３】
前記翼状針の外側には、前記取っ手の側面の突起に一側が挿入され、プラスチック材質からなる管状の針保護管をさらに含むことを特徴とする、請求項１または２に記載の痛み治療機構。
【発明の詳細な説明】
【技術分野】
【０００１】
本発明は、筋肉内に刺激を与えて患部の痛みを緩和させる、簡単な構造からなる痛み治療機構に関するものである。
【背景技術】
【０００２】
筋肉内刺激法（IMS：Intramuscular stimulation）は、患部の筋肉内に針を挿入することによって筋肉痛を治療するのに用いられる方法として知られている。この方法では、針治療用の針と類似する微細な針を筋肉内に挿入し、この針を筋肉内で前／後進繰り返し移動させることによって筋肉を刺激する。ここで「前後進」移動とは、まず針を筋肉内に前方に押し込んでから一部後方へ引き抜いた後、同一浸透経路に沿って再び押し込むことをいう。この動作はいくつかの筋肉部位で各々何回も繰り返し行われる。患部の筋肉は普通固く収縮している。このような筋肉の固さは筋肉内の神経繊維に酷い圧力を加えたり、筋肉内の神経繊維をきつく締めたりするために慢性的な痛みを引き起こす。反復的な筋肉内刺激治療法により、収縮した筋肉が緩和すれば結果的に痛みも治まる。治療頻度は筋肉収縮の深刻性の程度によって変わる。酷く収縮した筋肉であるほど長期間にかけてより頻繁に治療する必要がある一方、軽微に損傷した筋肉は治療の頻度数がはるかに減少する。前記筋肉内刺激治療は大体様々な地点で行われるのが最も効果的である。
【０００３】
図５は、打針過程の速度と深さを調節するために制御装置に連結されたモータ駆動式筋肉内刺激（IMS）針器の主要構造を示すものである。患者を治療するために操作者は、患部筋肉の真上の患者の皮膚上に注射器胴体部を位置させる。注射器胴体部には、針が内外に自由に通過できるようにする入口がある。制御装置が作動すれば針が移動し始まる。制御装置によって設定された頻度数と打針の深さに応じて針が前後に動く。つまり、針が皮膚に浸透して該筋肉を刺激し始め、このような刺激は針が引き抜かれる時まで繰り返し行われる。
【０００４】
針器は、線形モータ１０、注射器ホルダ１６、注射器胴体部３４、フランジャ２２、針固定キャップ２６、および針３２を含む６つの主要部品からなっている。線形モータ１０には、モータの回転運動をシャフト１８に伝達できる、直線運動に切り換える内部ギヤ（図示せず）がある。このような動作を提供する線形モータは、米国のコネティカット州チェシヤー市所在のフィリップステクノロジーで製造される。モータの回転方向は針３２の直線運動の方向を決める。例えば、モータ１０が時計方向に回転する時にシャフト１８は下方に動き、モータ１０が反時計方向に回転する時にシャフト１８は上方に動く。制御装置３８は電線３６を介してモータ１０に移動信号と方向信号を共に送る。
【０００５】
注射器ホルダ１６は注射器胴体部３４を収納する。このために注射器ホルダ１６は、２つの保持ネジ１４によってモータ１０の基板１２に固定され、注射器胴体部３４と関連する注射器基板２０用ハウジングを形成する機械加工部品からなるのが有利である。注射器ホルダ１６は、商標「Plexiglas」という物質からなることが好ましく、注射器胴体部３４は、例えばツイストロック（twist-lock）メカニズムにより、注射器ホルダ１６から容易に着脱できるように機械加工され得る。注射器胴体部３４は、注射器胴体部３４の外部から針３２の内部の動きが見られるように透明な重合体物質によって作られる。例えば、市販の１０ｃｃ使い捨て注射器が注射器胴体部３４として用いられ得る。
【０００６】
フランジャ２２は、プラネチック材料の機械加工部品からなり、モータ１０と針３２を連結する役割をする。図５に示すように、フランジャ２２の一側は止めネジ２４によってモータシャフト１８に取り付けられる。プランジャ２２の他側は、例えばツイストロックメカニズムによって、針固定キャップ２６を有するための保持ピン２８を備える。針固定キャップ２６は、機械加工部品からなることが好ましく、患者を治療する間、針３２がシャフト１８の軸線に沿って整列するように針３２をあるべき位置にしっかり固定する役割をする。キャップ２６の上端部には迅速な針交換のためにツイストロックスロットがある。キャップ２６の下端部には針３２のヘッド３０を収納するための機械加工された孔がある。この針３２は、皮膚と筋肉組織に効果的に挿入するために針治療用針のように非常に小さい直径になっていることが好ましい。好ましくは、前記針３２は、ステンレス鋼のように折り曲げることができ、外科的に受容可能な物質で作られ、前記針３２をより容易に支持するプラスチックヘッド３０を備える。
【０００７】
しかし、上記のように構成された従来の筋肉内刺激針器は、沢山の部品で製作するために構造が複雑で、その製作費用が高い問題点がある。
【発明の開示】
【発明が解決しようとする課題】
【０００８】
本発明は、上記のような問題点を解決するためのものであって、本発明は、筋肉内に刺激を与え、患部に注射技法を同時に用いて痛みを緩和できる、簡単な構造からなり経済的であり、痛み分野で通常の知識を有する者が簡単に用いることのできる痛み治療機構を提供することをその目的とする。
【課題を解決するための手段】
【０００９】
本発明は上記目的を達成するために提案されたものであり、請求項１記載の発明は蝶の翼状の取っ手と；
前記取っ手の一側に形成される小管状の翼状針と；
前記翼状針内に挿入され、翼状針が患部に挿入されて、筋肉内に刺激を与える時に筋肉内に挿入されるように、一端を一定の長さに折り曲げた糸状のマジックシルクと；から構成されることを特徴とする、痛み治療機構を提供する。請求項２記載の発明は、前記取っ手の前記翼状針と対向する他側に円筒形で形成され、注射器を挿入できるように拡管型の注射器挿入部をさらに含むことを特徴とする、請求項１に記載の痛み治療機構を提供する。次に、請求項３記載の発明は、前記翼状針の外側には、前記取っ手の側面の突起に一側が挿入され、プラスチック材質からなる管状の針保護管をさらに含むことを特徴とする、請求項１または２に記載の痛み治療機構を提供する。
【発明の効果】
【００１０】
本発明に係る痛み治療機構によれば、マジックシルクを皮膚の組織中に挿入する翼状針に取っ手を備えて構成することによって簡単で正確な痛み治療が可能であるため、治療効果を極大化させられる有用な発明である。                              
【発明を実施するための最良の形態】
【００１１】
本発明は上記目的を達成するために、蝶の翼状の取っ手と；前記取っ手の一側に形成される小管状の翼状針と；前記翼状針内に挿入され、翼状針が患部に挿入されて、筋肉内に刺激を与える時に筋肉内に挿入されるように、一端を一定の長さに折り曲げた糸状のマジックシルクと；から構成されることを特徴とする、痛み治療機構を提供することにより実現した。
【実施例】
【００１２】
以下、本発明の第１および第２実施形態について添付した図面を参照して詳細に説明する。
図１は本発明の第1実施形態に係る痛み治療機構を示す一部分解斜視図であり、図２は本発明の第１実施形態に係る痛み治療機構を組み立てて示す斜視図であり、図３は本発明の第２実施形態に係る痛み治療機構を示す一部分解斜視図であり、図４は本発明の第２実施形態に係る痛み治療機構を組み立てて示す斜視図である。
【００１３】
図１および図２に示すように本発明の第1実施形態に係る痛み治療機構は、蝶の翼状の取っ手５１と；前記取っ手５１の一側に形成され、前記注射器挿入部５３と連通した小管状の翼状針５４と；前記翼状針５４内に挿入され、翼状針５４が患部に挿入されて、筋肉内に刺激を与える時に筋肉内に挿入されるように−端を一定の長さに折り曲げた糸状のマジックシルク５５と；から構成される。
【００１４】
図３および図４に示すように本発明の第2実施形態に係る痛み治療機構は、前記取っ手５１の前記翼状針５４と対向する他側に円筒形で形成され、注射器５２を挿入できるように拡管型の注射器挿入部５３をさらに含んで構成される。
【００１５】
前記翼状針５４の外側にはプラスチック材質からなる管状の針保護管５６が設けられており、この針保護管５６は前記取っ手５１の側面の突起に一側が挿入される。
【００１６】
前記マジックシルクは、吸水性縫合糸（absorbable suture）の一種であり、健康な哺乳動物から抽出した膠原質（collagen）を原料にして作ったものである。組織の治癒過程中、組織によって吸収され、吸収期間は身体的条件によって影響を受け、感染がある時、栄養状態が良い時に吸収期間が早くなる。これは脂肪組織および筋肉組織の血液循環が活発であるためである。
【００１７】
前記マジックシルク５５は自然に吸収され、異物作用がなく、特に炎症がある場合にも用いることができる。羊の内臓にある粘膜下組織や牛の内臓にある漿膜組織から抽出したものであり、蛋白質が主成分（蛋白濃度９８％）である。人体の酵素によって縫合糸が徐々に分解した後に体内組織に吸収される。特に漿膜性組織や粘膜性組織では非常に迅速に吸収され、皮下脂肪組織では吸収作用が相当遅れる。
【００１８】
痛み治療の時、治療者が取っ手５１を握って、マジックシルク５５が挿入されている翼状針５４を目的とする患部に一定の深さ挿入すれば、マジックシルク５５が皮膚組織中に挿入され吸収されることにより、簡単で正確な痛み治療が行われる。
【００１９】
このような痛み治療機構の使用により、Dr．Gunnの理論の通り痛みおよび内科的な病症を治療することができ、米国整形外科医師であるロバート・ベッカーの生体電気エネルギ理論の通り、マジックシルクの挿入で人体に最も適した微細電流エネルギを持続的に生成して治療効果を達成することができ、Jarnet. G. Travell博士の『筋膜痛みおよび機能異常』という本から、誘発点（trigger point）と運動点（motor point）に、適切な注射技法を用いることができる。
【００２０】
本発明の痛み治療機構と一般的な針術治療を比較すると次の表のようである。
【表１】
2008289843.tif 000003
【００２１】
以上で説明した本発明の痛み治療機構は、前記実施形態に限定されず、特許請求の範囲で請求するように本発明の要旨を逸脱せず、当該発明が属する分野で通常の知識を有する者であれば誰もが多様な変更実施が可能な範囲まで本発明の技術的精神が及ぶと言える。
【図面の簡単な説明】
【００２２】
【図１】本発明の第１実施形態に係る痛み治療機構を示す−部分解斜視図である。
【図２】本発明の第１実施形態に係る痛み治療機構を組み立てて示す斜視図である。
【図３】本発明の第２実施形態に係る痛み治療機構を示す一部分解斜視図である。
【図４】本発明の第２実施形態に係る痛み治療機構を組み立てて示す斜視図である。
【図５】従来の筋肉内刺激針器を示す側面図である。
【符号の説明】
【００２３】
５１    取っ手    
５２    注射器
５３    注射器挿入部  
５４    翼状針
５５    マジックシルク  
５６    針保護管
【図１】
2008289843.tif 000004
【図２】
2008289843.tif 000005
【図３】
2008289843.tif 000006
【図４】
2008289843.tif 000007
【図５】
2008289843.tif 000008